(57)【要約】【課題】溝に沿った方向の振動に起因する異音を抑制すること。【解決手段】電子機器１０は、筐体１２と、筐体１２の前面に設けられ、側面部１４Ｂに溝部６０を有するサブパネル１４と、溝部６０に沿って閉状態から開状態にチルト動作し、かつ閉状態から開状態までの間に特定の複数の位置で停止可能に構成された表示パネル１６と、を備える。表示パネル１６は、溝部６０に係合して溝部６０に沿って移動可能であり、かつスラスト方向に移動可能で溝奥方向に付勢された突起部３０を有する。溝部６０の内部には、表示パネル１６の停止位置に、突起部３０が嵌る凹部が形成されている。【選択図】図２
2019151127.tif 000002
【特許請求の範囲】
【請求項１】
筐体と、
前記筐体の前面に設けられ、側面部に溝部を有するサブパネルと、
前記溝部に沿って閉状態から開状態にチルト動作し、かつ閉状態から開状態までの間に特定の複数の位置で停止可能に構成された表示パネルと、を備え、
前記表示パネルは、前記溝部に係合して前記溝部に沿って移動可能であり、かつスラスト方向に移動可能で溝奥方向に付勢された突起部を有し、
前記溝部の内部には、前記表示パネルの停止位置に、前記突起部が嵌る凹部が形成されている、電子機器。
【請求項２】
前記突起部は、先端部にテーパ部を有し、
前記凹部は、前記溝部の延在方向に互いに対向して設けられ、前記テーパ部と接触する第一傾斜部と、第二傾斜部とを有する、請求項１に記載の電子機器。
【請求項３】
前記第一傾斜部と、前記第二傾斜部とは、異なる傾斜角を有する、請求項２に記載の電子機器。
【請求項４】
前記テーパ部は、前記第一傾斜部および前記第二傾斜部よりも小さく形成されている、請求項２または３に記載の電子機器。
【請求項５】
前記凹部は、前記表示パネルの停止位置に応じて異なる深さを有する、請求項１から４のいずれか１項に記載の電子機器。
【請求項６】
前記凹部は、前記サブパネルに対する前記表示パネルの傾きが小さい停止位置ほど深く形成されている、請求項５に記載の電子機器。
【発明の詳細な説明】
【技術分野】
【０００１】
本発明は、電子機器に関する。
【背景技術】
【０００２】
車両に搭載される電子機器として、表示パネルを備えたカーナビゲーションや、カーオーディオが知られている。このような電子機器では、スライド機構によって、表示パネルを開閉している。
【０００３】
例えば、特許文献１では、本体部に対して、ディスプレイ部が変位可能な車載用ディスプレイ装置が開示されている。
【先行技術文献】
【特許文献】
【０００４】
【特許文献１】特開２００６―３４１８４７号公報
【発明の概要】
【発明が解決しようとする課題】
【０００５】
特許文献１では、ディスプレイ部に設けられたガイドローラのテーパ部を、本体部に設けられたガイド溝に押圧することによって、振動に起因する異音の発生を抑制している。このような構造は、ディスプレイ部の前後および左右方向の振動に起因する異音を抑制できるが、ガイド溝に沿った方向の振動に起因する異音については抑制できないおそれがある。
【０００６】
本発明は、溝に沿った方向の振動に起因する異音を抑制することのできる電子機器を提供することを課題とする。
【課題を解決するための手段】
【０００７】
本発明の電子機器は、筐体と、前記筐体の前面に設けられ、側面部に溝部を有するサブパネルと、前記溝部に沿って閉状態から開状態にチルト動作し、かつ閉状態から開状態までの間に特定の複数の位置で停止可能に構成された表示パネルと、を備え、前記表示パネルは、前記溝部に係合して前記溝部に沿って移動可能であり、かつスラスト方向に移動可能で溝奥方向に付勢された突起部を有し、前記溝部の内部には、前記表示パネルの停止位置に、前記突起部が嵌る凹部が形成されている。
【発明の効果】
【０００８】
本発明によれば、溝に沿った方向の振動に起因する異音を抑制することができる。
【図面の簡単な説明】
【０００９】
【図１】図１は、本発明の実施形態に係る電子機器を示す図である。
【図２】図２は、本発明の実施形態に係る電子機器の構成を示す模式図である。
【図３】図３は、本発明の実施形態に係る電子機器の構成を示す模式図である。
【図４】図４は、本発明の実施形態に係る電子機器が備える溝部の構成を示す図である。
【図５】図５は、本発明の実施形態に係る電子機器が備える突起部の構成を示す模式図である。
【図６】図６は、本発明の実施形態に係る電子機器が備える溝部の変形例の構成を示す模式図である。
【発明を実施するための形態】
【００１０】
以下、図面を参照しながら、本発明の実施形態について詳細に説明する。なお、各図において同一または相当する部分には同一の符号を付して適宜説明は省略する。
【００１１】
図１を用いて、本発明の実施形態に係る電子機器について説明する。図１は、本発明の実施形態に係る電子機器が搭載された車両を示す模式図である。
【００１２】
図１に示すように、本実施形態に係る電子機器１０は、車両１００内に搭載される。電子機器１０は、筐体１２と、表示パネル１６とを有する。筐体１２は、内部に電子機器１０を駆動するための駆動装置などが収納されている。表示パネル１６は、画像を表示するパネルであり、運転者席側に露出している。電子機器１０は、例えば、ＡＶ（Audio  Visual）一体型のカーナビゲーション装置などである。
【００１３】
図２を用いて、本実施形態に係る電子機器の構造について説明する。図２は、本実施形態に係る電子機器の構造の一例を示す模式図である。図２に示す構造は、例示であり、本発明を限定するものではない。本発明は、モータで駆動するスライド機構によって表示パネル１６を傾ける構造をもっていれば適用することができる。また、本発明と直接的な関連の薄い構成要素については、適宜説明を省略または簡略化する。
【００１４】
図２に示すように、電子機器１０は、筐体１２と、サブパネル１４と、表示パネル１６と、スライド部１８と、スライド駆動部１９とを有する。電子機器１０は、スライド駆動部１９によりスライド部１８を移動させることで、表示パネル１６の姿勢を変化させる。図２では、直交座標系を使用している。Ｘ１方向は前方向、Ｘ２方向は後方向、Ｙ１方向は右方向、Ｙ２方向は左方向、Ｚ１方向は上方向、Ｚ２方向は下方向である。
【００１５】
サブパネル１４は、筐体１２の前面側に設けられている。サブパネル１４は、筐体１２に対し位置が固定されている。サブパネル１４は、表面部１４Ａと、側面部１４Ｂとを有する。表面部１４Ａは、筐体１２の前面側に位置する板状部材である。表面部１４Ａは、表面が、左右方向および前後方向にわたって形成されている。表面部１４Ａの上側の端部を上端部１４Ａ１とし、下側の端部を下端部１４Ａ２とする。
【００１６】
側面部１４Ｂは、表面部１４Ａの左右方向の端部（側端部）に１つずつ設けられている。側面部１４Ｂは、表面部１４Ａの側端部から、前方向に向かって突出している。説明の便宜上、図２では側面部１４Ｂを点線で示している。
【００１７】
表示パネル１６は、サブパネル１４の前面に設けられている。表示パネル１６は、正立姿勢において、表面が表面部１４Ａに沿った方向に位置している。表示パネル１６は、前方向側の表面が、画像を表示する表示面１６Ａである。表示面１６Ａとは反対側の表面を、背面１６Ｂとし、表示パネル１６の上側の端部を、上端部１６Ｃとし、表示パネル１６の下側の端部を、下端部１６Ｄとする。
【００１８】
表示パネル１６には、突起部３０と、下接続部３２とが設けられている。突起部３０は、背面１６Ｂに固定された状態で設けられている。具体的には後述するが、突起部３０は、ローラを含む突起部材である。
【００１９】
下接続部３２は、背面１６Ｂに固定された状態で設けられている。より詳しくは、下接続部３２は、背面１６Ｂにおいて、下端部１６Ｄ側に設けられている。また、下接続部３２は、例えば、突起状の部材である。
【００２０】
スライド部１８は、筐体１２内に設けられており、前後方向に沿って形成されている。スライド部１８は、前後方向に移動できる構造となっている。スライド部１８は、左右方向に２つ設けられている。この２つのスライド部１８は、連結しており、前後方向に移動するスライドユニット１８Ｓを構成している。
【００２１】
スライド駆動部１９は、筐体１２内に設けられている。スライド駆動部１９は、スライド部１８を駆動して、スライド部１８を前後方向に移動させる。図２に図示のスライド部１８の形状は、例示であり、本発明を限定するものではない。
【００２２】
側面部１４Ｂには、溝部６０が形成されている。溝部６０は、一方の端部から他方の端部の間に、上下方向にわたって形成された溝である。溝部６０の幅は、例えば、４ｍｍから５ｍｍ程度である。溝部６０には、表示パネル１６に設けられた突起部３０に係合している。具体的には、突起部３０は、溝部６０に差し込まれ、かつ溝部６０に沿って移動することができる。これにより、表示パネル１６は、例えば、ユーザが上端部１６Ｃを押圧すると、突起部３０が下方向に移動し、チルト動作することによって、前方向にスライドする。また、表示パネル１６は、例えば、ユーザが下端部１６Ｄを押圧すると、突起部３０が上方向に移動し、チルト動作することによって、後方向にスライドする。表示パネル１６は、サブパネル１４に対して、閉状態から開状態にスライド開閉する間に、複数の位置で停止可能に構成されている。
【００２３】
図３は、表示パネル１６が前方向にスライドされた状態を示す模式図である。図３に示すように、表示パネル１６は前方向にスライドされており、突起部３０は溝部６０の途中位置で停止している。具体的には後述するが、本実施形態は、表示パネル１６の停止位置において、溝部６０の内部に形成された凹部によって、表示パネル１６の上下方向の振動を抑制する。
【００２４】
図４を用いて、本実施形態に係る溝部の構造について説明する。図４は、本実施形態に係る溝部の構造を示す模式図である。
【００２５】
図４に示すように、溝部６０の内部には、第一凹部６１と、第二凹部６２と、第三凹部６３と、第四凹部６４とが形成されている。第一凹部６１から第四凹部６４は、例えば、溝部６０の底面から２ｍｍ程度の深さを有している。第一凹部６１から第四凹部６４の形状に特に制限はなく、突起部３０の形状に応じて変更すればよい。第一凹部６１から第四凹部６４は、表示パネル１６の停止位置に形成されている。これにより、表示パネル１６の停止位置において、突起部３０は、第一凹部６１から第四凹部６４に嵌りこむ。表示パネル１６は、突起部３０が第一凹部６１から第四凹部６４に嵌り込むことによって、上下方向（溝に沿う方向）の振動が規制される。本実施形態では、溝部６０は、直線状の形状を有しているが、これは例示であり、本発明を限定するものではない。溝部６０は、例えば、湾曲した形状であってもよい。また、本実施形態では、第一凹部６１から第四凹部６４の４つの凹部を有するが、停止位置に応じて、さらに多くの凹部を形成してもよいし、形成する凹部はさらに少なくてもよい。本実施形態では、表示パネル１６を閉状態または開状態にする際の音の発生を抑制するために、表示パネル１６が閉状態または開状態となる位置に凹部が形成されていてもよい。なお、溝部６０は、２つの側面部１４Ｂのうち、一方のみに設けてもよい。
【００２６】
第一凹部６１と、第二凹部６２と、第三凹部６３と、第四凹部６４との深さは、同じであってもよいし、異なっていてもよい。第一凹部６１から第四凹部６４の深さを変える場合には、例えば、サブパネル１４に対しての傾きが大きな停止位置に、表示パネル１６を停止させるための凹部を深く形成することが好ましい。具体的には、第一凹部６１の深さが最も浅く、第四凹部６４の深さが最も深いことが好ましい。すなわち、第一凹部６1、第二凹部６２、第三凹部６３、第四凹部６４の順に深さを深く形成することが好ましい。
【００２７】
図５を用いて、突起部３０と、第一凹部６１とについて説明する。図５は、第一凹部６１に突起部３０が嵌った様子を示す模式図である。突起部３０と、第二凹部６２から第四凹部６４との関係については、突起部３０と、第一凹部６１との関係と同様なので、説明は省略する。
【００２８】
図５に示すように、第一凹部６１は、底面から表示パネル１６に向かうに従って幅が広くなるようなテーパ形状を有しており、第一傾斜部６１ａと、第二傾斜部６１ｂとを有している。第一傾斜部６１ａは、第一凹部６１の上側に形成された傾斜部であり、下方向から上方向への移動を規制するように形成されている。第二傾斜部６１ｂは、第一凹部６１の下側に形成された傾斜部であり、上方向から下方向への移動を規制するように形成されている。すなわち、第一傾斜部６１ａと、第二傾斜部６１ｂとは、溝部６０に沿った方向において、互いに向かい合って形成されている。これにより、第一傾斜部６１ａと、第二傾斜部６１ｂとは、突起部３０の溝部６０に沿った動きを規制する。第一傾斜部６１ａと、第二傾斜部６１ｂとの傾斜角は、同じであってもよいし、異なっていてもよい。第一傾斜部６１ａと、第二傾斜部６１ｂとを異なる傾斜角で形成する場合には、例えば、第一傾斜部６１ａと、第二傾斜部６１ｂとのうち、表示パネル１６が動きやすい方の傾斜角を大きく形成すればよい。例えば、図１に示す形態で電子機器１０を使用する場合には、表示パネル１６は、下方向に動きやすいため、第二傾斜部６１ｂの傾斜角を第一傾斜部６１ａの傾斜角よりも大きく形成すればよい。なお、表示パネル１６の角度の調整を妨げないようにするという観点からは、第一傾斜部６１ａの傾斜角は、４５度よりも鈍角であることが好ましい。また、表示パネル１６を開く方向と、閉じる方向とでは、動作時の作動負荷は異なる。具体的には、表示パネル１６を開く場合よりも、閉じる場合の方が大きな力が必要である。そのため、表示パネル１６の動作負荷という観点からは、例えば、第一傾斜部６１ａの傾斜角を第二傾斜部６１ｂの傾斜角よりも小さいことが好ましい。また、溝部６０に形成される凹部の位置に応じて、傾斜部の傾斜角が異なっていてもよい。例えば、図４に図示された溝部６０において、表示パネル１６の下方向の動きを凹部で規制する場合、第一凹部６１に位置している時の下方向の動きが最も容易であると考えられる。この場合、第一凹部６１、第二凹部６２、第三凹部６３、第四凹部６４の順に、下側に設けられる傾斜部の傾斜角を小さくなるように形成してもよい。
【００２９】
図５に示すように、突起部３０は、ローラ７１と、バネ部７２と、軸部７３とを有する。ローラ７１には、バネ部７２を介して軸部７３が挿入されている。軸部７３は、金具７４によって表示パネル１６に固定されている。
【００３０】
ローラ７１は、先端部にテーパ部７１ａを有しており、根元から先端部に向かうに従って幅が狭くなるテーパ形状を有している。ローラ７１は、軸部７３に対して、回転可能な構造を有しており、かつ軸部７３のスラスト方向に対して、スライドする構造となっている。ローラ７１は、前後方向（Ｘ方向）において、溝部６０および第一凹部６１と、同等の長さの幅を有している。そのため、ローラ７１の前後方向の動きは、溝部６０および第一凹部６１の幅によって規制される。これにより、表示パネル１６の前後方向の振動に起因する異音の発生が抑制される。
【００３１】
テーパ部７１ａの大きさに制限はなく、設計に応じて任意に設定することができる。表示パネル１６の上下方向の動きを規制するという観点からは、テーパ部７１ａは、第一傾斜部６１ａおよび第二傾斜部６１ｂよりも小さいことが好ましい。
【００３２】
バネ部７２は、軸部７３のスラスト方向に沿って設けられており、ローラ７１と、軸部７３とを接続している。そのため、バネ部７２は、バネ荷重によって、ローラ７１を軸部７３のスラスト方向に移動させることができる。これにより、バネ部７２は、ローラ７１をスラスト方向に移動させることによって、常時、ローラ７１の先端部分を溝部６０の底面に押し当てる。そして、バネ部７２は、ローラ７１が溝部６０を移動して第一凹部６１に嵌ると、バネが伸びてローラ７１の先端部分を第一凹部６１に押し当てる。具体的には、バネ部７２は、テーパ部７１ａを、第一傾斜部６１ａと、第二傾斜部６１ｂとに押し当てる。すなわち、バネ部７２は、ローラ７１に対して、左右方向（Ｙ方向）に力を加えている。そのため、ローラ７１の左右方向の動きは、バネ部７２によって規制される。これにより、表示パネル１６の左右方向の振動に起因する異音の発生が抑制される。
【００３３】
テーパ部７１ａは、第一傾斜部６１ａと、第二傾斜部６１ｂとに押し当てられている。そのため、第一傾斜部６１ａはローラ７１の上方向への動きを規制し、第二傾斜部６１ｂはローラ７１の下方向の動きを規制している。その結果、ローラ７１の上下方向の動きは、第一傾斜部６１ａと、第二傾斜部６１ｂとによって規制される。これにより、表示パネル１６の上下方向の振動に起因する異音の発生が抑制される。
【００３４】
次に、図６を用いて、本実施形態に係る電子機器が備える凹部の変形例について説明する。図６は、本実施形態に係る電子機器が備える凹部の変形例の構造を示す模式図である。
【００３５】
図６に示すように、第一凹部６１Ａは、第一凹部６１と比べ、曲面状の形状を有している。すなわち、第一凹部６１Ａは、傾斜部を備えていない。そのため、第一凹部６１Ａと、テーパ部７１ａとの接触面積がより小さくなるので、第一凹部６１Ａに突起部３０が嵌った際に発生する異音は、第一凹部６１に突起部３０が嵌った際に発生する異音よりも小さくなる。
【００３６】
上述のとおり、本実施形態は、表示パネル１６の停止位置における溝部６０の内部に、突起部３０が嵌り込む第一凹部６１から第四凹部６４が形成されている。これにより、本実施形態は、上下方向の動きが規制されるので、上下方向の振動に起因する異音の発生を抑制することができる。
【００３７】
また、本実施形態では、第一凹部６１から第四凹部６４に突起部３０を嵌め込むことで、表示パネル１６のガタツキを抑制することができる。また、本実施形態には、第一凹部６１から第四凹部６４には傾斜部が設けられている。これにより、本実施形態は、表示パネル１６の上下方向の動きの規制を滑らかに解除することができる。
【００３８】
また、本実施形態では、表示パネル１６の停止位置に凹部が設けられているので、ユーザは凹部の規制によって表示パネル１６の停止位置を容易に把握することができる。これにより、本実施形態では、ユーザは、表示パネル１６の停止位置を適切に調整することができる。
【００３９】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【００４０】
１０  電子機器
１２  筐体
１４  サブパネル
１４Ａ  表面部
１４Ａ１  上端部
１４Ａ２  下端部
１４Ｂ  側面部
１６  表示パネル
１６Ａ  表示面
１６Ｂ  背面
１６Ｃ  上端部
１６Ｄ  下端部
１８  スライド部
１８Ｓ  スライドユニット
１９  スライド駆動部
３０  突起部
３２  下接続部
６０  溝部
６１，６１Ａ  第一凹部
６１ａ  第一傾斜部
６１ｂ  第二傾斜部
６２  第二凹部
６３  第三凹部
６４  第四凹部
７１  ローラ
７１ａ  テーパ部
７２  バネ部
７３  軸部
７４  金具
１００  車両
【図１】
2019151127.tif 000003
【図２】
2019151127.tif 000004
【図３】
2019151127.tif 000005
【図４】
2019151127.tif 000006
【図５】
2019151127.tif 000007
【図６】
2019151127.tif 000008